(57)【要約】【課題】従来の色紙は、寄書きやサイン等を観賞させるために額やスタンドにて飾り、また壁に画鋲等で押さえて観賞していたが、色紙自身を自立させて観賞させることができるスタンドを内蔵させた色紙を提供する。同時にサインを書く時や今迄同様に壁や額に入れて飾れるために必要な平面性を保たせる。【解決手段】自立スタンド内蔵色紙は、写真、絵、イラスト等が描かれた又は寄書きやサインを記載できる表面シートと、裏面シートとを接着剤層にて貼り合わせた色紙であって、裏面シートに折り曲げ線と切り込み線とを有しスタンドとして使用する際は折り曲げ線に沿って引き起こして色紙を自立させることが可能な型抜きスタンド部が備えられ、型抜きスタンド部の位置となる表面シートと裏面シートの間に両シートを貼り合わせる接着剤層がない非接着部が形成され、型抜きスタンド部が引き起こされない状態では色紙自体が凹凸のない平面状に形成されてなる。【選択図】図１
2017189973.tif 000002
【特許請求の範囲】
【請求項１】
写真、絵、干支イラストやコミックイラスト等が描かれた又は寄書きやサインを記載することができる表面シートと、裏面シートとを接着剤層にて貼り合わせた色紙であって、
前記裏面シートに、折り曲げ線と切り込み線とを有しスタンドとして使用する際は前記折り曲げ線に沿って引き起こして色紙を自立させることが可能な型抜きスタンド部が備えられ、前記型抜きスタンド部の位置となる前記表面シートと前記裏面シートとの間に両シートを貼り合わせる接着剤層がない非接着部が形成されると共に前記型抜きスタンド部が引き起こされない状態では色紙自体が凹凸のない平面状に形成されてなることを特徴とする自立スタンド内蔵色紙。
【請求項２】
前記型抜きスタンド部の外周縁から所定幅にて前記表面シートと前記裏面シートとの間に両シートを貼り合わせる接着剤層がない非接着域部が形成されることを特徴とする請求項１に記載の自立スタンド内蔵色紙。
【請求項３】
前記型抜きスタンド部の前記折り曲げ線及び前記切り込み線は前記自立スタンド内蔵色紙の外周縁端には伸びない線であり、前記自立スタンド内蔵色紙の外周縁部の全周に亘って巻紙が巻かれて形成されてなることを特徴とする請求項１乃至請求項２のいずれかに記載の自立スタンド内蔵色紙。
【発明の詳細な説明】
【技術分野】
【０００１】  本発明は、スタンド部を引き起こして色紙自体を自立させることができる自立スタンド内蔵色紙に関する。
【背景技術】
【０００２】  室町時代から続く日本の伝統ある従来の色紙等を飾る際には長年の課題があった。すなわち、色紙等を飾るためには、
１）額に入れる、２）別の立たせるスタンドを利用して立たせる、３）画鋲やシール、糊等で壁等に固定させる、４）壁や物にもたれさせる
などであり、色紙等の使用シーンを考慮しておおむね平面性を保つように使用しなければならないものであった。
【先行技術文献】
【特許文献】
【０００３】
【特許文献１】  実開平３−９８０７３号
【発明の概要】
【発明が解決しようとする課題】
【０００４】  従来には、例えば、特許文献１に記載されているように、裏面側にスタンドが形成されている色紙である台紙がある。この台紙は裏面には台紙を立たせるスタンドが形成されているために、寄書きやサインをする際にスタンドが邪魔になり、書きづらいものであった。又、台紙を保管する際は台紙を積層されて保管されるものであり、その際スタンド自体が紙でできている台紙に影響を与えやすく、台紙自体が変形しやすくなり、台紙が変形すれば色紙と使用できなくなるという問題があった。【０００５】  本発明は、色紙自体の平面性・平坦性を保ち、寄書きやサインをする際に書きやすい自立スタンド内蔵色紙の提供を目的とする。
【課題を解決するための手段】
【０００６】  本発明の自立スタンド内蔵色紙は、写真、絵、干支イラストやコミックイラスト等が描かれた又は寄書きやサインを記載することができる表面シートと、裏面シートとを接着剤層にて貼り合わせた色紙であって、前記裏面シートに、折り曲げ線と切り込み線とを有しスタンドとして使用する際は前記折り曲げ線に沿って引き起こして色紙を自立させることが可能な型抜きスタンド部が備えられ、前記型抜きスタンド部の位置となる前記表面シートと前記裏面シートとの間に両シートを貼り合わせる接着剤層がない非接着部が形成されると共に前記型抜きスタンド部が引き起こされない状態では色紙自体が凹凸のない平面状に形成されてなることを特徴とする。【０００７】  また、本発明の自立スタンド内蔵色紙は、前記型抜きスタンド部の外周縁から所定幅にて前記表面シートと前記裏面シートとの間に両シートを貼り合わせる接着剤層がない非接着部が形成されることを特徴とする。【０００８】  また、本発明の自立スタンド内蔵色紙は、前記型抜きスタンド部の前記折り曲げ線及び前記切り込み線は前記自立スタンド内蔵色紙の外周縁端には伸びない線であり、前記自立スタンド内蔵色紙の外周縁部の全周に亘って巻紙が巻かれて形成されてなることを特徴とする。
【発明の効果】
【０００９】  本発明の自立スタンド内蔵色紙によれば、色紙の表面にサイン、文字や絵を描く際には通常の色紙と同様にフラットな状態で使用でき、色紙自体を飾る際には裏面の型抜きスタンド部を引き起こして、色紙自体を自立させることができる。【００１０】  また、型抜きスタンド部の外周縁から所定幅にて表面シートと裏面シートとの間に両シートを貼り合わせる接着剤層がない非接着部が形成されているので、仮に、表面シートと裏面シートとを貼り合わせる接着剤層がスタンド部側にはみ出ても、スタンド部の折り曲げ線と切り込み線には達しないので、スタンド部を支障なく引き起こせることができる。【００１１】  そして、色紙の外周縁部の全周に亘って金又は銀など巻紙が巻かれる際にも、型抜きスタンド部の折り曲げ線及び切り込み線が色紙の外周縁端には伸びていないので、問題なくスタンド部を引き起こすことができる。
【図面の簡単な説明】
【００１２】
【図１】本発明の実施形態に係る自立スタンド内蔵色紙の自立した状態の斜視図である。
【図２】図１の自立スタンド内蔵色紙のスタンド部を引き起こししていない状態の平面状態の表側を示す斜視図である。
【図３】図２の自立スタンド内蔵色紙の側面図である。
【図４】図２の自立スタンド内蔵色紙の裏側を示す平面図である。
【図５】図５に示す自立スタンド内蔵色紙のスタンド部の片方を引き起す途中状態の裏側の平面図である。
【発明を実施するための形態】
【００１３】  以下、添付図面を参照して、本発明の第１実施形態に係る自立スタンド内蔵色紙について説明する。図１の自立スタンド内蔵色紙Ａは、表面シート１に裏面シート２を接着剤層にて貼り合わしているものである。自立スタンド内蔵色紙Ａの表面シート１の表面は、図２のように、写真、絵、干支イラストやコミックイラスト等が描くことができ、又、寄書きやサインを記載することができるものである。そして、図４、５に示されるように、裏面シート２には、折り曲げ線４と切り込み線５とを有する型抜きスタンド部６、６が形成されており、同様に折り曲げ線７１と切り込み線７ａとを有する補助保持部７が形成されている。即ち、型抜きスタンド部６、補助保持部７は自立スタンド内蔵色紙Ａに内蔵されたように形となっている。図３に示されるように、自立スタンド内蔵色紙Ａは型抜きスタンド部６、補助保持部７が厚み方向の外方には突出せず平面状態となっている。そのため、色紙の表面にサイン、文字や絵を描く際には通常の色紙と同様に平坦（フラット）な状態で使用できるものである。
【００１４】  図５のように、型抜きスタンド部６、６は、折り曲げ線４に沿って引き起こされ、次に補助保持部７も折り曲げ線７１に沿って引き起こされ、補助保持部７の端部を型抜きスタンド部６、６の凹部６０、６０に係止して、型抜きスタンド部６、６が引き起こされた状態が保持され、図１のように、自立スタンド内蔵色紙Ａを自立させることができる。
【００１５】  型抜きスタンド部６、６及び補助保持部７が位置する表面シート１と裏面シート２との間には、表裏の両シートを貼り合わせる接着剤層がない非接着部１ａ、６ａ、７０が形成されており、そのため、折り曲げ線４と折り曲げ線７１に沿って型抜きスタンド部６と補助保持部７が引き起こすことが可能となるものである。そして図４に示されるように、型抜きスタンド部６と補助保持部７との外周縁から所定幅（必要に応じて数ｍｍ〜２ｃｍ程度）に、外周縁に沿って周囲に接着剤層がない非接着域部３０が設けられており、接着剤層と非接着域部３０との境界線３０ａ（点線）で示されるように、接着剤が折り曲げ線４と切り込み線５に達しないように構成されている。
【００１６】  型抜きスタンド部６の折り曲げ線４及び補助保持部７の折り曲げ線７１は、金型を用いたプレス加工（トムソン加工）により裏面シート２の表面に凹状の溝加工をすることで形成されるものであり、他の製造方法にて用いて形成されてもよく、また、折り曲げ線４は凹状の溝が連続して形成されていなくてもよいものである。型抜きスタンド部６の切り込み線５（５ａ）及び補助保持部７の切り込み線７ａは、図４、５に示すように、連結部５ｂ又は連結部７ｂを残して金型を用いたプレス加工にて切断されて形成されることになる。
【００１７】  そして、自立スタンド内蔵色紙Ａの表裏のシートを貼り合わせる接着剤層３の形成は、ロールコーターによる塗布であっても、シルクスクリーンによる部分塗布であっても良いものである。部分的に塗布する場合は、その接着剤層が点状（ドット状）や線状に構成される場合は、全面的に接着剤層を形成する場合より接着剤量を少なくすることができて製造コストを下げることができる。また、その接着剤層の接着部分の位置や量を簡単に変化させることができるために、例えば、色紙の中央部分の接着剤層の量を外周辺より少なくすることで、色紙全体の反りを少なくできて、色紙自体の平面性（平坦性）を保つことができることになる。
【００１８】    次に、図１に示されるように、本発明の自立スタンド内蔵色紙Ａは、色紙の外周縁部の全周に亘って金又は銀の巻紙８が巻かれて施されている実施形態である。型抜きスタンド部６の折り曲げ線４及び切り込み線５が色紙の外周縁端には伸びていない構成であるので、巻紙８が施されていても支障なく型抜きスタンド部６を引き起こすことが可能なものである。なお、巻紙８が巻かれていない実施形態も本発明の範囲内である。
【００１９】  以上、本発明の実施形態に係る自立スタンド内蔵色紙について添付の図面を参照して説明したが、本発明はかかる実施形態に限定されず、本発明の範囲を逸脱することなく種々の変形・修正が可能である。例えば、表面シートや裏面シートの表面に意匠用の薄紙シートを貼り合わせてもよく、デザイン性や意匠性を高めることができるものである。また、本発明の自立スタンド内蔵色紙は、型抜きスタンド部が色紙厚み内に収まっているために、凹凸がなくスタンド部が邪魔にならず額に入れることが容易にできるものである。
【符号の説明】
【００２０】Ａ  自立スタンド内蔵色紙
１  表面シート
２  裏面シート
３  接着剤層
４  折り曲げ線
５  切り込み線
６  型抜きスタンド部
７  補助保持部
８  巻紙
１ａ、６ａ、７０  非接着部
５ａ、７ｂ  連結部
３０  非接着域部
【図１】
2017189973.tif 000003
【図２】
2017189973.tif 000004
【図３】
2017189973.tif 000005
【図４】
2017189973.tif 000006
【図５】
2017189973.tif 000007